(57)【特許請求の範囲】
【請求項１】
個々の使用者に関する皮膚データを受信するようにプログラミングされたコンピュータソフトウェア及び関連する計算装置によって、使用者の皮膚に複数の皮膚有効成分を標的化し個別送達するための方法であって、
前記使用者の皮膚の所定の処置域の画像を第1の装置を用いてキャプチャーすること、
前記所定の処置域をマッピングするために、前記コンピュータソフトウェア及び計算装置を用いて前記キャプチャー画像を解析すること、
第2の装置から選択的入力データを取り込むことであって、第2の装置は前記所定の処置域の皮膚状態を評価するための入力装置であり、該入力装置が、デジタル撮像装置、スペクトルカメラシステム、熱カメラシステム、レーザドップラー画像化システム、透光度計、皮膚pH計、水分計、弾性計、スコープカメラ、キーボード及びタッチスクリーンから選択される少なくとも１つである、
前記コンピュータソフトウェア及び計算装置を用いて、前記使用者の皮膚の前記所定の処置域の状態を示す皮膚プロファイルを、前記取り込まれた選択的入力データから生成すること、
前記コンピュータソフトウェア及び計算装置を用いて、前記キャプチャー画像、前記マッピング及び前記皮膚プロファイルを処理して、使用者の顔又は頭部の仮想的な3D画像を生成して前記処置域をより正確に位置づけることであって、該3D画像は前記所定の処置域の状態を示す、
前記コンピュータソフトウェア及び計算装置を用いて、前記生成された皮膚プロファイルに基づき、複数の皮膚有効成分を標的化し個別送達するための化粧用活性成分製品を生成することを含み、前記製品が、前記所定の処置域の前記示された状態を処置するための異なる皮膚有効成分を含有し、
ここで前記製品は、前記使用者の皮膚の前記所定の処置域になじむよう配置及び構成された化粧用送達シートであり、前記化粧用送達シートが、複数の隔離した離散領域を有する基体を備え、前記隔離した離散領域のうち少なくとも二つには、前記所定の処置域の異なる皮膚状態を処置するための異なる皮膚有効成分がインプリントされている、
上記方法（但し、ヒトに対する医療行為を除く）。
【請求項２】
前記入力装置が、コンピュータ、パーソナルデジタルアシスタント、携帯電話、スマートフォン、販売促進用端末、キオスク及びワークステーション、の少なくとも一つ又は組合せをさらに含む、請求項1に記載の方法。
【発明の詳細な説明】
【技術分野】
【０００１】
本発明は、皮膚有効成分(skin benefit agent)を必要としている使用者の皮膚に対するこのような1種以上の皮膚有効成分の標的化及び個別送達を実現するための方法及びシステムに関し、また皮膚有効成分を含有し、皮膚の1以上の標的域に送達するための使い捨てシートの形のデバイスに関する。特に、本発明は、使用者に特有の皮膚プロファイルに基づいてこのような使用者の顔の皮膚の標的域に1種以上の皮膚有効成分を送達する方法に、また使用者の皮膚の標的域に適用し、処置するための1種以上の化粧用若しくは皮膚科用調製物を組み込んだ化粧用シートマスクに関する。
【背景技術】
【０００２】
ビタミン、抗にきび有効成分、保湿成分などのスキンケア有効成分の送達に有用として、様々な化粧用パッチ又はデバイスが、市販又は記載されている。顔、首、及び体の他の部位の皮膚に貼り付けるために、不織綿布(non-woven cotton)、弾性的伸縮性又は伸縮性素材、熱可塑性プラスチック、粘着性ゲルなどの様々な素材に様々な化粧用若しくは皮膚科用調製物を浸み込ませたもので構成される化粧用シートを使用することが知られている。化粧用シートは、貼ったときに標的域になじむよう適合されるフレキシブルな支持体を備える。またこれらのシートは、皮膚有効成分を含有し、シートを貼った皮膚に皮膚有効成分を送達するためのシステムも備える。しかしながら、現在、市場の顔用シートマスクには、有効成分が十分に浸み込ませてあり、顔全体にこれらの成分が送達されるように顔全体に貼られる。或いは、パッチは目の下などの特定の部位にのみに貼って、この位置にのみに皮膚有効成分を送達する。しかしながら、これらの品は、消費者により認められているような、望ましくない製品使用上の特徴をもたらす欠点がある。たとえば、これまでは、1以上の皮膚有効成分を1以上の特定の部位に標的化することは公知の顔全体用マスクでは不可能で、顔全体を一種類の組成物で処置することしかできなかった。ほとんどの消費者が、自分の顔の異なる部位に異なる皮膚の懸念事項を抱えている。たとえば、多くの消費者は、Tゾーン域(額、鼻及び顎)は油っぽいが顔の他の部分は乾燥している混合肌を有する。別の例では、額、目及び口周りにはしわ及び小皺を有し、頬の部位では乾燥又はかさついた肌で、他の部位にシミがある消費者もいるであろう。各領域は、異なる懸念事項に対処するために異なる処置製品を必要とするはずである。従来のマスクは、標的域のみではなく、顔全体の皮膚を処置することによって、一度に一つの懸念事項にしか対処することができない。
【発明の概要】
【発明が解決しようとする課題】
【０００３】
したがって、使用者個人特有の皮膚プロファイルに基づいてこのような使用者の異なる皮膚の状態に対処するために、使用者の皮膚の様々な標的域に複数の皮膚有効成分を送達することができる化粧用シートが、消費者に必要とされている。
【課題を解決するための手段】
【０００４】
本発明の化粧用シートには、異なる皮膚有効成分がインプリントされた離散領域が設けられ、このような化粧用シートを皮膚に貼り、皮膚になじませる場合、シートが所定用量の異なるスキンケア調合物を皮膚に正確に送達して、異なる皮膚状態を処置する又は皮膚への異なる効用を提供することができる。より好ましくは、本発明の化粧用シートは、従来の「万能型(one-type-fits-all)」製品のように大量生産されるわけではなく、使用者に特有の皮膚プロファイルに従って使用者毎に特別にカスタマイズされるものである。
【０００５】
したがって、本発明は、一態様において、使用者の皮膚に複数の皮膚有効成分を標的化し個別に送達するためのシステムに関する。このようなシステムは、(a)使用者の皮膚の所望の処置領域の画像をキャプチャーするための撮像装置と、(b)使用者の皮膚の所定の処置域の実際の又は認識される状態を示す皮膚プロファイルを生成するための手段と、(c)1以上の化粧用送達シートをプリントするための、解析装置に通信接続されているプリント装置とを少なくとも含み、化粧用送達シートは、使用者の皮膚の所定の処置域になじむように配置及び構成され、化粧用送達シートの各々が、複数の隔離した離散領域を持つ基体を含み、これらの隔離した離散領域のうちの少なくとも二つには、生成手段によって生成される皮膚プロファイルに従って、所定の処置域の異なる皮膚の状態を処置するための異なる皮膚有効成分がインプリントされている。
【０００６】
本発明は、別の態様において、使用者の皮膚の所定の処置域になじむように配置及び構成された化粧用送達シートに関する。このような化粧用送達シートは、複数の隔離した離散領域を有する基体を少なくとも備え、これらの隔離した離散領域のうち少なくとも二つには、所定の処置領域の異なる皮膚の状態を処置するための異なる皮膚有効成分がインプリントされている。
【０００７】
本発明は、さらなる態様において、皮膚有効成分を含有する組成物で満たされたカートリッジを含むプリンタに関する。必ずしもというわけではないが、好ましくは、このようなプリンタは、非加熱式(heatless)プリントプロセスにより皮膚有効成分を基体上にプリントするように構成される。
【０００８】
本発明は、さらに別の態様において、使用者の皮膚に複数の皮膚有効成分を標的化し個別送達するための方法に関し、この方法は、(a)使用者の皮膚の所定の処置域の画像をキャプチャーすること、(b)キャプチャー画像データ、並びに皮膚解析ツールにより取り込んだ追加データ及びアンケートに対する使用者の回答を手動又は自動で解析すること、(c)使用者の皮膚の所定の処置域の状態を示す皮膚プロファイルを手動又は自動で生成すること、(d)生成された皮膚プロファイルに基づいて、1以上の化粧用送達シートをプリントすることを少なくとも含み、化粧用送達シートは、使用者の皮膚の所定の処置域になじむように配置及び構成され、化粧用送達シートの各々が、複数の隔離した離散領域を有する基体を備え、隔離した離散領域のうちの少なくとも二つには、所定の処置域の異なる皮膚の状態を処置するための異なる皮膚有効成分がインプリントされている。
【０００９】
本発明の他の態様及び目的は、次の説明、実施例及び請求項からより明らかとなるであろう。
【図面の簡単な説明】
【００１０】
【図１】本発明のシステム及び方法全体を示す流れ図である。
【図２】図1に示すシステム全体のうち、画像取得ステップのさらなる詳細を示す流れ図である。
【図３】図1に示すシステム全体のうち、皮膚評価ステップの一実施形態のさらなる詳細を示す流れ図である。
【図４】図1に示すシステム全体のうち、皮膚評価概要及び化粧品作成ソフトウェアステップのさらなる詳細を示す流れ図である。
【図５】図1に示すシステム全体のうち、オンサイト又はオフサイトプリンタステップのさらなる詳細を示す流れ図である。
【図６】本発明の一実施形態による、異なる皮膚有効成分を有する複数の隔離した離散領域を含む顔用マスクの概略図である。
【図７】本発明の第2の実施形態による顔用マスクの概略図である。
【図８】図1の顔用マスク上の一つの隔離した離散領域の分解図である。
【図９】図1に示すシステム全体のうち皮膚評価ステップの、代替実施形態のさらなる詳細を示す流れ図である。
【発明を実施するための形態】
【００１１】
本発明の例示的実施形態について、今から詳細に言及する。手動又は自動分析によって作成した使用者に特有の皮膚プロファイルに基づく、使用者の皮膚への複数の皮膚有効成分の、標的化した個別の送達を実現するために、コンピュータ化システム又はコンピュータ援用システムを使用することが考えられる。本発明のシステムによってもたらされる化粧品送達製品は、要求に応じて、また正確な用量及び位置制御を伴う使用者の皮膚プロファイルに応じて複数の標的部分又は領域に複数の皮膚有効成分を送達することができる。
【００１２】
好ましくは、そのようなシステムが、使用者の皮膚の所望の処置域の画像をキャプチャーするための撮像装置を少なくとも備える。そのような所望の皮膚処置域は、たとえば、顔全体、顔の部分、首、大腿部等であってよい。本発明の特に好ましい一実施形態であるが必須ではない実施形態においては、個の所望の処置域が使用者の顔全体である。撮像装置は、好ましくはデジタルカメラであり、白色光、赤外光、近赤外光など、十分な一貫性のある可視光又は不可視光を送る光源と連動して、所望の処置域の画像をキャプチャーすることができる。この撮像装置は、所望の処置域を同定するために手動又は自動モードに設定することができる。
【００１３】
キャプチャー画像をデジタルデータに変換し、適切な媒体に、たとえば、撮像装置内及び/又はコンピュータ内及び/又は、撮像装置及び/又はコンピュータと恒久的又は選択的に通信接続している専用の記憶装置内に保存する。キャプチャー画像は、たとえば、デジタルデータとしてデバイス間で、撮像装置とコンピュータ若しくは記憶装置との間の直接接続により、又はネットワーク、たとえば、LAN、WAN、電話網若しくはインターネット網(伝送媒体、たとえば、同軸ケーブル、光ファイバケーブル、CAT5ケーブル、携帯電話、衛星若しくは他の無線伝送、光伝送、電子的伝送等の任意の形式で)を介して、又は、たとえば、キャプチャー画像を記憶媒体(たとえば、メモリカード、携帯ディスクドライブ、フラッシュドライブ等)に転送し、記録媒体をあるデバイスから別のデバイスへと輸送することによって手動で送信することができる。
【００１４】
このシステムは、処置を必要としている様々な状態を示す皮膚プロファイルを作成するための手段を備えることができる。好ましくは、皮膚プロファイルにより、特定の種類の処置を必要とする特定の欠陥を有する皮膚領域が定義される。本明細書中で使用する用語「欠陥」とは、皮膚の乾燥、フレーク状態、発赤、油性、大きな毛穴、くすみ、黒ずみ、むらのある皮膚の色合い、にきびの跡、小皺及びしわ、目の下のくま、目の下の腫れ、セルライトなど任意の種類の準最適皮膚状態、又は任意の種類の皮膚状態の異常若しくは皮膚荒れを広く網羅する。より好ましくは、皮膚プロファイルにより、皮膚欠陥の重症度も定義される。
【００１５】
好ましい一実施形態においては、皮膚プロファイルを作成するための手段は、より大きなコンピュータバンク又はネットワークの一部であるパーソナルコンピュータ、中央コンピュータ、コンピュータサーバなどの計算装置に関連するコンピュータソフトウェアを備える。コンピュータソフトウェア及び関連する計算装置は、個々の使用者に関するデータを受信し、そのデータを処理し、キャプチャー画像における様々な皮膚状態及びそれら皮膚状態の対応する位置を示すその使用者についてのカスタマイズされた皮膚プロファイルを作成するようにプログラミングされる。同コンピュータソフトウェア及び関連する計算装置或いは/並びに別のソフトウェア及び計算装置を、皮膚プロファイルにおいて同定される様々な皮膚状態の処置に関する勧告を作成するようにプログラミングすることもできる。
【００１６】
皮膚プロファイルを作成するための手段は、上記デジタル撮像装置や、たとえば、皮膚pH計、水分計、弾性計、スコープカメラ等を含めた、皮膚状態を診断するために使用することができる他の市販の独立型又は手持ち式画像化又は解析ツールなど、自動データ画像化又は収集装置からの入力の形でデータを受信することができる。診断ツールの非限定的な例として、キャンフィールド  サイエンティフィック社(Canfield Scientific, Inc.)(ニュージャージー州フェアフィールド)から入手可能なVISIA(登録商標)コンプレクション  アナリシス(Complexion Analysis)ツール、スペクトルカメラシステム、熱カメラシステム、レーザドップラー画像化システム、透光度計、水分計、メグザメータ(mexameter)、CKエレクトロニック(ケルン、ドイツ)から入手可能なMexameter(登録商標)MX18、コニカミノルタビジネスソリューションズ(Konica Minolta Business Solutions)、米国(ニュージャージー州ラムジー)から入手可能なCRシリーズクロマメータ(Chroma Meter)、アストロンクリニカ社(Astron Clinica Ltd.)(英国、ケンブリッジ)から入手可能なSIAMETRICS(商標)及びCOSMETRICS(商標)皮膚可視化及び測定システムが挙げられる。
【００１７】
代替として、或いは上記自動撮像又は解析装置から受信されるデータと組み合わせて、皮膚プロファイルを作成するための手段は、たとえば、家庭用コンピュータ、パーソナルデジタルアシスタント(personal digital assistant (PDA))、携帯電話又はスマートフォン、販売促進用(point-of-sale)端末装置、キオスク、ワークステーション等に付随しているキーボード又はタッチスクリーンなどの入力装置からの選択的入力の形でデータを受信することができる。美容オペレータがこれらの入力を選択的に入力するはずである。美容オペレータは、たとえば、皮膚専門家、美容アドバイザ、コスメティシャン、皮膚科医、又はたとえば、従来型(brick-and-mortar)小売店内の化粧品売り場環境における製品販売若しくは推薦に関係する店員であってよい。或いは、美容オペレータは遠く離れて位置し、たとえば、電子メール、テキストメッセージ、インスタントメッセージ、チャットセッション、ソーシャルネットワーキングウェブサイトなどの電子的手段を介して使用者(すなわち、消費者、購入者又は製品最終使用者)がアクセスすることもできる。いずれの場合も、美容オペレータは、最終使用者から少なくとも一部のデータを引き出し、最終使用者の実際の容貌の、又は最終使用者が提出する1以上の画像の視覚的解析を行うはずである。この情報には、製品小売業者又は製品製造業者によって前もって作成された診断及び推薦プロトコルに基づくデータが補充されるはずである。或いは、美容オペレータは、そのような目的のために作成されたアンケートにより使用者からデータを引き出すこともできる。オペレータは皮膚状態を診断し、製品を推薦するはずであるが、これらの推薦はそれぞれ、使用者の皮膚の処置域の特定の部位又は領域にマッピングすることができる。このマッピングは、撮像装置によってキャプチャーされた所望の処置域の画像上に直接、マウス誘導スクリーンポインタ又はタッチスクリーン入力装置を介して行うことができる。
【００１８】
代替として、或いは美容オペレータと組み合わせて、使用者(消費者又は最終使用者)は、家庭用コンピュータ、キーボード、タッチスクリーン、キオスク、携帯電話、PDAなどの入力装置を通じて直接データを入力することができる。この入力は、美容オペレータの指導の下行うことも、又は独立に行うもできる。使用者により、たとえば、デジタルカメラ、携帯電話、PDA又は家庭用コンピュータ若しくはキオスクに搭載されているカメラで撮影された画像がアップロードされることになるはずである。
【００１９】
美容アドバイザの助けを借りて、又は独立に使用者からデータを引き出すために使用するアンケートに関して、客観的情報も主観的情報も引き出されるようにアンケートを作成する。たとえば、アンケートにより、使用者の皮膚が油性であるかどうか、比較的客観的な質問をすることができる。或いは、アンケートにより、どの程度皮膚が油性であると思うか、比較的主観的な質問を使用者にすることができる。アンケートにより、自身がどのような問題を抱えていると受け止めているか、またどのような問題の解決に最も関心があるのか-やはり比較的主観的な質問を消費者にすることもできる。質問に対する客観的及び主観的回答は、システムにデータとして入力することができ、システムでは、データを処理し、キャプチャー画像(複数可)における様々な皮膚状態及びその皮膚状態に対応する位置を示すその個々の使用者についてのカスタマイズされた皮膚プロファイルを作成するようにコンピュータソフトウェア及び関連する計算装置がプログラミングされる。このシステムはまた、知覚された状態及び/又は実際の問題の状態を含めた、皮膚プロファイルにおいて同定される様々な皮膚状態の処置に関する勧告を作成するようにプログラミングされる。
【００２０】
同時係属の米国特許出願第12/533,107号及び上記出願に記載されているように、画像データを解析し、その画像データに基づき使用者の皮膚の所望の処置域の状態を示す皮膚プロファイルを作成するためにプログラミングされる解析装置によって、皮膚プロファイルを作成するための手段に対する入力を作成することができる。様々な公知のアルゴリズムを使用して、そのような皮膚プロファイルを作成することができる。これらのアルゴリズムの例について、「皮膚表面分析システム及び皮膚表面分析方法」と題する特開95-231883、「皮膚組織のマルチスペクトル画像化及び特性評価用システム及び方法」と題する国際特許出願公開第WO98/37811号、並びに「身体の視覚的にアクセス可能な表面をモニターするための装置及び方法」と題する米国特許第5,016,173号により詳細に記載されているが、これらの内容はその全体があらゆる目的に援用される。本発明において皮膚欠陥を診断するために使用することができる市販の皮膚画像化ツールとして、たとえば、キャンフィールド  サイエンティフィック社(Canfield Scientific, Inc.)(ニュージャージー州フェアフィールド)から入手可能なVISIA(登録商標)コンプレクション  アナリシス(Complexion Analysis)ツール、熱カメラシステム、レーザドップラー画像化システム、透光度計、メグザメータ、CKエレクトロニック(ケルン、ドイツ)から入手可能なMexameter(登録商標)MX18、コニカミノルタビジネスソリューションズ(Konica Minolta Business Solutions)、米国(ニュージャージー州ラムジー)から入手可能なCRシリーズクロマメータ(Chroma Meter)、アストロンクリニカ社(Astron Clinica Ltd.)(英国、ケンブリッジ)から入手可能なSIAMETRICS(商標)及びCOSMETRICS(商標)皮膚可視化及び測定システムが挙げられる。加えて、たとえば、個々の顔の特徴、皮膚欠陥及び処置域を3DでマッピングするためのFaceGen(www.facegen.com)などの3D顔モデル化プログラムを通じて、キャプチャー画像及び他のデータを処理することができる。3Dマッピングした顔ではさらに、処置域のより正確
な位置から「注文仕立ての(tailor made)」スキンケア製品を作り出して、個々の正確な顔の特徴及び寸法に適合させることが可能となるのである。この3Dマッピングではまた、「製図板」として操作し使用することができる使用者の3D「仮想」頭部の表示も可能となって、注文仕立ての個々に合わせたスキンケア製品の創出及びさらなる改良が容易となるのである。この3D顔モデル化の特徴により、使用者のための「仮想ミラー」環境が作り出される。オペレータ又は使用者は、後の皮膚プロファイル評価ステップ時に、また製品創出ステップ時に、ディスプレイ又はモニタ上の「仮想ミラー」像(すなわち、仮想の顔又は頭部像)を、自由に回転及び拡大縮小することができる。仮想ミラー環境により顔のセルフミラー像が作り出され、この像により、評価及び個別の製品創出ステップが容易になり、また簡略化される。これにより、使用者にとって人間的な触れ合いのある(high-touch)ショッピング経験が豊かになる。
【００２１】
提案された有効成分及び処置域を含む皮膚プロファイルは、客観的及び主観的要求に基づき使用者が調整することができる。使用者主導の選定プロセスは、製品の有用性(すなわち、処置域の位置決め)、望ましさ(すなわち、美的魅力)、関与及び相互作用(すなわち、使用者の遊び心)を高めるために最終的なマスクに設けることができる色選択又は美的パターンを含むこともできる。皮膚欠陥の重症度が数値で表される場合には、使用者の種族的出身、年齢、地理的位置、又は使用者の皮膚状態に影響を及ぼすことがある他の任意の要因に基づき、そのような値を正規化することが望ましいことがある。
【００２２】
皮膚プロファイルが作成され保存されると、プリント装置に出力すべき画像を作成するために、Adobe Photoshop Element 4.0やMicrosoft PowerPoint 2003など、任意の適切な写真編集及び図解ソフトウェアプログラムによって処理することができ、プリント装置によって、使用者特有の皮膚状態に基づく使用者用にカスタマイズされた1以上の化粧品送達シートがプリントアウトされる。或いは、化粧品送達シートを処理しプリントするために、特別注文のソフトウェアプログラムを書くこともできる。好ましくは、プリント装置は、複数のカートリッジを含むプリンタであり、カートリッジはそれぞれ、1種以上の皮膚有効成分を含有する組成物で満たされている。従来の熱インクジェットプリント機構では、インク吐出ステップ中にプリントヘッドで高温環境が生じ、この高温環境により一部の皮膚有効成分が劣化する、又は不安定になることがあるため、本発明におけるプリントは、非加熱式プリント機構を用いて行うことが好ましい。たとえば、圧電変換器により要求に応じて圧力を発生させて、インクジェットプリントヘッド内の内部ダイアフラムの形状を変化させ、したがって、インクタンク内に入っている皮膚有効成分の液滴を強制的に基体上に堆積させる圧力駆動インクジェットを使用することができる。本発明の実施に適したプリント装置としては、たとえば、エプソンワークフォース(Epson Workforce)シリーズ、好ましくはエプソンワークフォース(Epson Workforce 30)、富士フイルムダイマティックス(Fujifilm Dimatix)社製のSpectra圧電プリンタ、RISO HC5500インクジェットプリンタが挙げられる。或いは、供給しようとする皮膚有効成分が熱的に安定又は比較的熱劣化が生じにくい場合、本発明の実施に従来の熱インクジェットプリンタ又は低発熱インクジェットプリンタを使用することができる。
【００２３】
上記非加熱式プリントプロセスを使用することによって、本発明は複数の皮膚有効成分の送達実現に、生物学的活性をほとんど又は全く低減させることなく成功する。第一に、非加熱式プリントプロセスは、皮膚有効成分の劣化をほとんど又は全く生じない。第二に、互いの生物学的活性に干渉することで知られている一部の皮膚有効成分は、別々のカートリッジに設置し、別々の液滴として基体上に堆積させることができる。さらに重要なことには、そのような干渉する皮膚有効成分の液滴は、散在させるようにして配置させることができるほど大きさが十分に小さい。したがって、そのような皮膚有効成分により同じ領域に同時に処置を施すことができるが、互いに混合させる必要はない。
【００２４】
そのようにプリントした化粧品送達シートは、シート材料マスク若しくはパッチ又は類似のシステムを介した成分供給の所定域に対して、顔又は体の皮膚のどこででも使用し得る。化粧用シートの正確な寸法及び形状は、使用目的及び製品特性によって決まることになる。化粧用シートは十分な柔軟性を有し、使用者の皮膚の所望の処置域になじむように適合させた寸法及び形状を有することとなる。本発明の特に好ましい一実施形態であるが必須ではない実施形態においては、化粧用シートは、顔の特徴になじむように適合させた顔用マスクである。本発明に従って様々な形状及び寸法を提供することができると理解されよう。そのような化粧用シートは、好ましくは、糖類又は多糖類、コラーゲン、水溶性膜形成高分子などの水溶性又は非水溶性材料で形成されるが必ずしもそうではないフレキシブル基体を備えることができる。この基体は複数の隔離した離散領域を含むが、そのような領域のうち少なくとも二つには、使用者の皮膚プロファイルに従って異なる皮膚状態を処置するために異なる皮膚有効成分がインプリントされる。
【００２５】
本発明において使用することができる適切な皮膚有効成分としては、抗しわ又は皮膚引き締め剤、老化防止剤、保湿剤、美白剤又は脱色素剤、抗炎症剤、抗にきび剤、DNA修復剤、皮膚脂質バリア修復剤、抗脂肪沈着剤、創傷治癒剤、ストレッチマーク(stretch-mark)/傷除去剤、プランピング(plumping)剤、毛髪成長遅延剤、毛髪成長促進剤、くま削減剤又は腫れぼったさを解消する(de-puffying)剤、コラーゲン合成又は血液循環促進剤、酸化防止剤、皮脂制御剤及び毛穴最小化剤が挙げられるが、これらに限定されない。例示的な抗しわ剤としては、アセチルヘキサペプチド-8、パルミトイルオリゴペプチド、ジペプチドジアミノブチロイル、ベンジルアミドジアセテート等が挙げられるが、これらに限定されない。例示的な皮膚引き締め剤としては、海藻エキス、プルラン、スイートアーモンド種エキス、カルボマー、パルミトイルオリゴペプチド、パルミトイルテトラペプチド-7、クルクガシエキス等が挙げられるが、これらに限定されない。例示的な老化防止剤としては、テプレノン、レスベラトロール三リン酸三ナトリウム、イタドリ根エキス、乳漿タンパク等が挙げられるが、これらに限定されない。例示的な保湿剤としては、ヒアルロン酸、グリセリン、尿素、トレハロース等が挙げられるが、これらに限定されない。例示的な美白剤又は脱色素剤としては、アスコルビン酸、リン酸アスコルビルマグネシウム、リン酸アスコルビルアミノプロピル、桑白皮エキス、コガネバナエキス、ブドウエキス、フェルラ酸、ヒノキチオール等が挙げられるが、これらに限定されない。例示的な抗炎症剤としては、イワヒバ(spike moss)エキス、シールホイップ(seal whip)エキス、イタドリ根エキス等が挙げられるが、これらに限定されない。例示的な抗にきび剤としては、サリチル酸、グリコール酸、ラクトビオン酸等が挙げられるが、これらに限定されない。例示的なDNA修復剤としては、C1〜C8テトラヒドロキシシクロヘキサン酸アルキル、ミクロコッカス溶解液、ビフィズス菌溶解液等が挙げられるが、これらに限定されない。例示的な皮膚脂質バリア修復剤としては、フィトスフィンゴシン、リノール酸、コレステロール等が挙げられるが、これらに限定されない。例示的な抗脂肪沈着剤としては、コレウスホルスコリ(Coleus forskohlii)根エキス、タイサンボク樹皮(Magnolia grandiflora bark)エキス、ハス葉(Nelubo nucifera leaf)エキス等が挙げられるが、これらに限定されない。例示的な創傷治癒剤としては、ミモザテヌイフローラ樹皮(Mimosa tenuiflora bark)エキス、大豆プロテイン等が挙げられるが、これらに限定されない。例示的なプランピング剤としては、サッカロミセス/キシリヌム/紅茶培養物、ハナスゲ(Anemarrhena asphodeloides)根エキス、ヒアルロン酸ナトリウム等が挙げられるが、これらに限定されない。例示的な毛髪成長遅延剤としては、ウルソル酸、フィトスフィンゴシン、ボスウェリアセラタガム(Boswella serrata)エキス等が挙げられるが、これらに限定されない。例示的な毛髪成長促進剤としては、ソウパルメット(Serenoa serrulata)果実エキス、甘草エキス、アセチルグルコサミン等が挙げられるが、これらに限定されない。例示的なくま削減剤又は腫れぼったさを解消する剤としては、ヘスペリジンメチルカルコン、ジペプチド-2、チャボトケイソウ(Passiflora incarnate)花エキス、リノール酸、イソリノール酸等が挙げられるが、これらに限定されない。例示的なコラーゲン合成又は血液循環促進剤としては、アルギニン、アスコフィルムノドスム(Ascophyllum nodosum)エキス、アスパラゴプシスアルマタ(Asparagopsis armata)エキス、カフェイン等が挙げられるが、これらに限定されない。例示的な酸化防止剤としては、ノルジヒドログアイアレチン酸、ブドウ種子エキス、緑茶葉エキス等が挙げられるが、これらに限定されない。
【００２６】
上述のような皮膚有効成分は、本発明のプリント装置に適合するインク配合物に配合することができる。そのようなインク配合物は、水溶液又は水中油型エマルションであってよい。供給しようとする皮膚有効成分が全て水溶性である場合には、インク配合物は水性であることが好ましい。皮膚有効成分の一部が油溶性である場合には、インク配合物は好ましくは、連続水相中に分散している微粉化油滴の形の油相を含有する微粉化エマルション(懸濁液)である。或いは、水性インク配合に関する有効成分の溶解度の問題を克服するために、非水溶性皮膚有効成分を溶剤型インク配合物に配合することもできる。
【００２７】
図1は、本発明の概念システム及び方法全体を示す流れ図を示す。第1のボックスは、カスタマイズ可能なスキンケア製品、すなわち、個々の使用者に対して調整することができる製品を作り出すステップである。第2のステップでは、使用者の画像を取得する。第3のステップは皮膚評価である。第4のステップは、化粧品作成ソフトウェアを伴う。第5のステップは、オンサイト又はオフサイト化粧用プリンタを伴う。そして最後のステップでは、製品を仕上げる。各ステップについて、以下の段落でさらに詳細に説明する。
【００２８】
図2は、図1に示すシステム全体のうち、画像取得ステップのさらなる詳細を示す流れ図である。まず、画像を取得するために、照明、(1以上の)カメラ及び他の機器を位置決めする。次いで、画像を取得する。画像は、高性能デジタルカメラ若しくはビデオカメラ、又はたとえば、携帯電話や自動露出(point-and-shoot)カメラなど、単なる消費者級のカメラのいずれかで取得することができる。好ましくは、たとえば、顔全体の解析を遂行することができるようにそれぞれ異なる角度からの、使用者の複数の画像を取得する。この(1以上の)画像と共に、キャプチャー画像(複数可)に関して位置情報を取得するが、これは、画素又は他をベースとして遂行することができる。取得した、又は既成の画像に関する位置情報を解析して、ランドマーク(たとえば、口角又は目尻)をマッピングするための、また最終的には問題点及び/又は処理域の位置をマッピングするための表面ポトグラフィ(surface topography)を決定することができる。この画像を、二次元又は三次元グラフィック環境へとデジタル化する。最後に、電子画像を表示する。
【００２９】
図3は、図1に示すシステム全体のうち、皮膚評価ステップの一実施形態のさらなる詳細を示す流れ図である。対処される皮膚の懸念事項は、たとえば、小皺及びしわ、しみ、くま、深いしわ、皮膚のたるみ等であり得る。皮膚評価は、二つある経路のうちの一方に従うことができる。選択経路Aは、たとえば、皮膚科医、美容アドバイザ、コスメティシャン、皮膚科医、又はたとえば、従来型小売店内若しくはオンラインショッピングの場の化粧品売り場環境における製品販売若しくは推薦に関係する店員などの皮膚専門家(本明細書中では美容オペレータとも称する)による評価を伴う。評価を誘導するために皮膚アンケートを使用する。この評価により特定の皮膚懸念事項A、B、C等が同定され、懸念事項の皮膚部位が同定される。経路Aの結果、皮膚評価概要が得られる。或いは、経路Bは、消費者対話型システムを伴う。これにはやはり、皮膚懸念事項A、B、C等を同定し、懸念事項の皮膚部位を同定するために評価を誘導する皮膚アンケートが含まれる。経路Bの結果、同様に皮膚評価概要が得られる。
【００３０】
図4は、図1に示すシステム全体のうち、皮膚評価概要及び化粧品作成ソフトウェアステップのさらなる詳細を示す流れ図である。皮膚評価概要には、皮膚懸念事項A、B、C等が含まれる。化粧品作成ソフトウェアは、皮膚評価概要を受け取る。化粧品作成ソフトウェアは、皮膚有効成分の提案及び選択を生成するようプログラミングされる。化粧品作成ソフトウェアはさらに、皮膚有効成分濃度の提案及び勧告を生成するようプログラミングされる。化粧品作成ソフトウェアは、標的とする皮膚部位に対する化粧品の提案及び選択を生成するようにプログラミングされる。このソフトウェアはさらに、基体の提案及び選択を生成するようにプログラミングされる。このソフトウェアにより、皮膚懸念事項の全層の合成画像(composite)が作成される。このソフトウェアにより、提案及び勧告に対する最終的な承認を与える機会が使用者に提供される。承認が与えられると、それら提案及び勧告がオンサイト又はオフサイトいずれかの化粧用プリンタに送信されて、特別注文の処置製品が作り出される。
【００３１】
図5は、図1に示すシステム全体のうち、オンサイト又はオフサイトプリンタステップのさらなる詳細を示す流れ図である。オンサイト又はオフサイトいずれかの化粧用プリンタは、化粧品作成ソフトウェアから提案及び勧告を受け取る。プリンタはまた、使用者のキャプチャー画像から位置情報も受け取る。プリンタに関連するソフトウェアにより、基体の選択、皮膚有効成分インクの選択、皮膚有効成分濃度レベル及び標的とする皮膚部位(位置)が確認される。その後プリンタにより最終製品がプリントされる。プリンタがオンサイトである場合、最終製品は使用者に直接提供される。プリンタがオフサイトである場合、最終製品は使用者に出荷される、又は使用者は、店頭(小売店の場所)に戻ってプリントされたマスクを引き取るよう勧められる、すなわち、マスクにより店への二回目の訪問が促される。この最終製品は、たとえば、以下の段落で説明するようなフルフェイスマスクである。
【００３２】
図6は、本発明の一実施形態による顔用マスク10の概略図である。この顔用マスク10は、互いに独立した複数の離散領域12、14、16及び18を含む。使用者特定の皮膚状態に基づき、領域12は、使用者顔面のTゾーン部分における油性を低減させるために少なくとも1種の皮脂制御剤がインプリントされ、領域14は、使用者の目尻及び口角における小皺及びしわを低減させるために少なくとも1種の抗しわ又は皮膚引き締め剤がインプリントされ、領域16は、少なくとも1種のくま削減剤又は腫れぼったさを解消する剤がインプリントされ、領域18には、少なくとも1種の抗脂肪沈着剤がインプリントされる。もちろん、皮膚プロファイリング解析に基づき、これら離散領域自体をカスタマイズすることもできる。カスタマイズには、離散領域の寸法、形状及び数が含まれる。好ましくは、必ずしもそうではないが、皮膚有効成分の対象となっている異なる顔の特徴を容易に整列させるために、マスク10上の異なる領域に異なる色を付けることができる。図2は、本発明の第2の実施形態による顔用マスク10の概略図である。
【００３３】
図7は、図1の領域14の分解図を示す。その領域上には、抗しわ又は皮膚引き締め剤20、老化防止剤22、酸化防止剤24、保湿剤26及びプランピング剤28を含む異なる五種類の皮膚有効成分がプリントされている。基体上にこれら皮膚有効成分が、互いに散剤しているが互いに混合されることなく分離した液滴として堆積される。このようにして、そのような皮膚有効成分が、互いに最低限の干渉で、又は互いに干渉することなく使用者の目尻及び口角に同時に処置を施すことができる。
【００３４】
本発明における使用に適したゲル化粧用シートは必然的に粘着性であるが、紙又は織物からなる化粧用シートには、皮膚との接着性を高めるために、支持体の第1の表面を伴う化粧上受け入れ可能な接着層の存在が必要となることがあることが当業者には理解されよう。皮膚へのシートの接着は、シートの表面に付随する接着性化合物により生じ得るが、シートが湿ってその後皮膚にはりつく水などのゲル又は液体の形で提供することもできる。使用者は、事前に湿らせた皮膚にマスクを適用することもできる。含浸配合物を活性化させるために、シートに、又は皮膚へのシートの接着に役立つ働きをすることができるシートの特定域に、又は両方に消費者が液体活性化剤を導入することも考えられる。皮膚にシートを適用する前に、取り外す、たとえば、はがすことができる支持シートを、化粧用シートに設けることもできる。
【００３５】
化粧用シートは、フェルト、紙、天然繊維、合成繊維、弾性ブレンド又はこれらの混合物を含む織布及び不織布を含めた任意の薄く多孔質の可撓性吸収材料で形成することができる。非限定的な例として、綿、麻、レーヨン、熱可塑性物質及びセルロース誘導体が挙げられる。シート材料は、糖類又は多糖類、コラーゲン、水溶性膜形成高分子などの水溶性材料であってよい。シート材料はまた、たとえば、アガロース又は水溶性低置換度セルロースエーテルからなる、ヒドロゲルなどのゲルを含むこともでき、この水溶性低置換度セルロースエーテルは、メチルセルロース、ヒドロキシエチルセルロース、ヒドロキシプロピルセルロース、ヒドロキシプロピルメチルセルロース、ヒドロキシプロピルヒドロキシエチルセルロース、ヒドロキシエチルメチルセルロース、エチルセルロース、ヒドロキシエチルエチルセルロース又はカルボキシメチルセルロースを含むことができる。コスト、生産性及び美的感覚の観点から、不織布が特に好ましい。好ましい不織布材料の例として、天然及び合成フェルト、ライスペーパー又はクロス並びに竹布が挙げられるが、これらに限定されない。本発明の好ましい一実施形態であるが必須ではない実施形態においては、化粧用シートの基体も皮膚有効成分も共に、糖類やコラーゲンのように完全に水溶性であるため、水又は同様の液体活性化剤を適用すると、化粧用シートは軟化し皮膚になじんで、その後シート全体が、取り除く必要なく皮膚表面に吸収される。本発明の実施に適した市販の化粧品シートとして、たとえば、Kopykake社(カリフォルニア州トーランス)製の糖ベースのフロスティングシート(Frosting Sheets)、Dr. Suwelack Skin & Health Care AG社(ドイツ国ビラベック)製のMatricol(登録商標)コラーゲンシート、及び3M(商標)透明ポリエチレンメディカルテープ9830(2.6ミル)が挙げられる。
【実施例】
【００３６】
[実施例1]
カフェインパワーの標的化送達
以下の成分を混ぜ合わせることによって、カフェインパワーを含有する水溶液を調製した。
【表１】
0005988990.tif 000002
【００３７】
カフェインパワーをプリントした領域に印を付けるために、FD&CブルーNo.1色を設けた。上記水溶液を、Epson Workforce 30インクジェットプリンタの詰替え可能インクカートリッジの中に入れ、Photoshop Element 4.0をインストールしたパーソナルコンピュータにこのプリンタを接続した。Kopykake社(カリフォルニア州トーランス)製の糖ベースのフロスティングシート、Dr. Suwelack Skin & Health Care AG社(ドイツ国ビラベック)製のMatricol(登録商標)コラーゲンシート、及び3M(商標)透明ポリエチレンメディカルテープ9830(2.6ミル)を含む、三種類の異なる基体シートを、Epson Workforce 30インクジェットプリンタの用紙トレイに給紙したところ、インクジェットプリンタによってカフェイン含有水溶液が基体シート上に首尾よくプリントされた。その後、皮膚有効成分としてのカフェインを標的化送達するために、プリントされた基体シートを使用者の皮膚に貼り付けた。
【００３８】
[実施例2]
サリチル酸の標的化送達
以下の成分を混ぜ合わせることによって、サリチル酸を含有する水溶液を調製した。
【表２】
0005988990.tif 000003
【００３９】
サリチル酸(SA)をプリントした領域に印を付けるためにFD&CイエローNo.5色を設けた。上記水溶液を、Epson Workforce 30インクジェットプリンタの詰替え可能インクカートリッジの中に入れ、Photoshop Element 4.0をインストールしたパーソナルコンピュータにこのプリンタを接続した。Kopykake社(カリフォルニア州トーランス)製の糖ベースのフロスティングシート、Dr. Suwelack Skin & Health Care AG社(ドイツ国ビラベック)製のMatricol(登録商標)コラーゲンシート、及び3M(商標)透明ポリエチレンメディカルテープ9830(2.6ミル)を含む三種類の異なる基体シートを、Epson Workforce 30インクジェットプリンタの用紙トレイに給紙したところ、インクジェットプリンタによってSA含有水溶液が基体シート上に首尾よくプリントされた。その後、皮膚有効成分としてのSAを標的化送達するために、プリントされた基体シートを使用者の皮膚に貼り付けた。
【００４０】
[実施例3]
アルジルリン(Argireline)溶液NPの標的化送達(アセチルヘキサペプチド-8)
以下の成分を混ぜ合わせることによって、アルジルリン溶液NPを含有する水溶液を調製した。
【表３】
0005988990.tif 000004
【００４１】
上記水溶液を、Epson Workforce 30インクジェットプリンタの詰替え可能インクカートリッジの中に入れ、Photoshop Element 4.0をインストールしたパーソナルコンピュータにこのプリンタを接続した。Kopykake社(カリフォルニア州トーランス)製の糖ベースのフロスティングシート、Dr. Suwelack Skin & Health Care AG社(ドイツ国ビラベック)製のMatricol(登録商標)コラーゲンシート、及び3M(商標)透明ポリエチレンメディカルテープ9830(2.6ミル)を含む三種類の異なる基体シートを、Epson Workforce 30インクジェットプリンタの用紙トレイに給紙したところ、インクジェットプリンタによってアルジルリン含有水溶液が基体シート上に首尾よくプリントされた。その後、皮膚有効成分としてのアルジルリン(アセチルヘキサペプチド-8)を標的化送達するために、プリントされた基体シートを使用者の皮膚に貼り付けた。
【００４２】
なお、上記実施例において色は任意である。
【００４３】
図9は、コンピュータ化皮膚診断を伴う図1に示すシステム全体のうち皮膚評価ステップの、二つの代替実施形態のさらなる詳細を示す流れ図である。この流れ図は、左から右へ四つの代替経路、1)自動皮膚分析システム(全自動)、2)皮膚アナライザを用いる皮膚専門家(半自動)、3)アンケートを用いる皮膚専門家及び4)アンケートを用いる消費者対話型システムを示す。なお、経路3及び4、図9に示す流れ図の右側の、「手動」又は非自動皮膚診断を示している二つの経路は、図1に示す流れ図に示され、本明細書中で先に説明した二つの経路と同じである。さらなる実施形態は、図9に示す流れ図の左側の経路1及び2である。図9の左側の経路1及び2は、完全「自動化」又は「自動の」コンピュータ化皮膚診断(経路1、左端の経路)並びに半自動化又は半自動のコンピュータ化皮膚診断(経路2、左から二番目の経路)の代替経路を示している。完全自動化皮膚解析経路は、自動皮膚解析システム、たとえば、データを収集するために画像化及び/又はセンサ及び/又はプローブを備えることができるシステムを設ける第一のステップを有する。第二のステップは、皮膚懸念事項A、B、C等の自動同定を伴う。第三のステップは、懸念事項の皮膚部位を同定することを伴う。この経路によりその後、結果的に皮膚評価概要がもたらされる。左側から二番目の半自動経路では、皮膚専門家が関与し、皮膚専門家によって操作される皮膚アナライザ(たとえば、撮像装置、センサ、プローブなどの機器)も関与する。皮膚専門家は皮膚アナライザを操作して、皮膚懸念事項A、B、C等を同定し、懸念事項の皮膚部位を同定する。この経路によっても結果的に、皮膚評価概要がもたらされる。自動、半自動、手動/皮膚専門家又は手動/消費者対話型と、たとえどんな経路を利用したとしても、結果は、特別注文の化粧品を作り出すために化粧品作成ソフトウェアに入力することができる皮膚評価概要である。
【００４４】
本発明を好適な実施形態に従って説明してきたが、本発明の精神及び範囲を逸脱することなく種々の変更及び修正を行うことが可能であることが当業者には理解されよう。
【図１】
0005988990.tif 000005
【図２】
0005988990.tif 000006
【図３】
0005988990.tif 000007
【図４】
0005988990.tif 000008
【図５】
0005988990.tif 000009
【図６】
0005988990.tif 000010
【図７】
0005988990.tif 000011
【図８】
0005988990.tif 000012
【図９】
0005988990.tif 000013